(57)【要約】      （修正有）【課題】劣化、或いは他物接触等によって導線部分が損傷した絶縁被覆電線を、電線の切断による停電を伴わずに、応急措置的に補修、補強することができる電線補強具、電線の補強構造、及び電線の補強方法を提供する。【解決手段】電線補強具は、断面形状を略Ｕ字、或いは略Ｃ字状とした導電性板材料からなるスリーブからなる。または、断面形状を略Ｕ字、或いは略Ｃ字状とした導電性板材料からなる２つの圧着部と、２つの圧着部間を電気的に接続する連設片とからなる。【選択図】図１
2008022629.tif 000002
【特許請求の範囲】
【請求項１】
断面形状を略Ｕ字、或いは略Ｃ字状とした導電性板材料からなるスリーブからなることを特徴とする電線補強具。
【請求項２】
断面形状を略Ｕ字、或いは略Ｃ字状とした導電性板材料からなる２つの圧着部と、２つの圧着部間を電気的に接続する連設片と、からなることを特徴とする電線補強具。
【請求項３】
前記導電性板材料は、補強対象物となる絶縁被覆電線の導線部分と同材料であることを特徴とする請求項１又は２に記載の電線補強具。
【請求項４】
絶縁被覆電線の導線に形成された損傷部分を露出させた状態で、請求項１に記載の電線補強具を該損傷部分を含む導線外面に圧着したことを特徴とする電線の補強構造。
【請求項５】
絶縁被覆電線の導線に形成された損傷部分の軸方向両側に位置する導線部分を夫々露出させた状態で、請求項２に記載の電線補強具の各圧着部を該露出した導線部分外面に圧着したことを特徴とする電線の補強構造。
【請求項６】
前記電線補強具の外面と、該電線補強具の軸方向両端側に位置する前記電線外面にかけて絶縁性材料から成るスリーブカバーを被せたことを特徴とする請求項４又は５に記載の電線の補強構造。
【請求項７】
絶縁被覆電線の導線に形成された損傷部分を露出させるために導線を切断することなく前記絶縁被覆を所定長に亘って除去する絶縁被覆除去工程と、
前記損傷部分を含む露出した前記導線の外面に請求項１又は２に記載の電線補強具を圧着する電線補強具圧着工程と、を備えたことを特徴とする電線の補強方法。
【請求項８】
絶縁被覆電線の導線に形成された損傷部分の軸方向両側の導線部分を露出させるために導線を切断することなく前記絶縁被覆を所定長に亘って除去する絶縁被覆除去工程と、
前記露出した前記導線部分の外面に請求項２に記載の電線補強具の各圧着部を圧着する電線補強具圧着工程と、を備えたことを特徴とする電線の補強方法。
【請求項９】
前記電線補強具圧着工程後に、前記電線補強具の外面に絶縁被覆を形成する工程を実施することを特徴とする請求項７又は８に記載の電線の補強方法。
【発明の詳細な説明】
【技術分野】
【０００１】
本発明は停電を伴わずに、劣化、或いは他物接触等によって導線部分が損傷した絶縁被覆電線を応急措置的に補修、補強するための電線補強具、電線の補強構造、及び電線の補強方法に関する。
【背景技術】
【０００２】
低・高圧線路用の電線や、需要家に引き込むための低圧引き込み線用の電線が劣化、或いは飛来物、その他の物体との接触等によって損傷した場合（絶縁被覆の損傷のみならず、内部導線の損傷も含む）、損傷した電線を補修するために従来は当該電線に対する通電を遮断した上で、仮復旧による改修、或いは足し線による本復旧のための改修による本復旧を行っていた。
【０００３】
仮復旧による改修作業においては、例えば図５（ａ）に示すように電線１００への損傷が内部導線にまで達している場合に、まず（ｂ）に示すように損傷した内部導線箇所を含む電線部分を所定長に亘って切断除去する。次いで、（ｃ）に示すように切断により残した電線の両端部の絶縁被覆１０２を所定長に亘って除去することにより導線１０１を露出させる。符号１０５はアルミ、銅等からなるスリーブであり、このスリーブ１０５の両端部から（ｄ）に示すように各電線端部に露出した導線１０１を夫々差し込んでからスリーブを導線外周面に圧着させる。圧着に際しては専用の工具を用いてスリーブ外面を数カ所に亘り加圧する（潰す）。その後、スリーブ１０５の外面を含む電線外面に対して絶縁テープ等を巻き付けて作業を完了する。
【０００４】
なお、図示したようなスリーブ１０５に代えて所謂Ｓ型スリーブを用いて２つの電線端部を捻り圧着により接続する方法も知られている。
また、足し線による改修作業（本復旧作業）においては、図６（ａ）（ｂ）に示すようにまず隣接し合う２の電柱１１０ａ、１１０ｂ間に架線された電線１００の損傷部分の近傍で電線を切断し、切断された２本の電線部分のうち各電柱からの長さが短い方の切断電線１００ｂを損傷部分と共に除去する。そして、（ｃ）において除去された方の切断電線１００ｂに代えて新たな張り替え用の電線１００Ｎを電柱１１０ｂから引き延ばし、電線１１０ａと電線１１０Ｎの各端部の絶縁被覆を剥ぎ取って導線部分を露出させる。この際スリーブカバー１１５を電線１００ａに被せておく。次いで、（ｄ）において図５（ｃ）（ｄ）に示した如きスリーブ１０５を両電線端部の露出した導線部分に被せてから圧縮して接続する。次いで、スリーブによる接続部の外面にスリーブカバー１１５をスライド移動させて被せ、スリーブカバー１１５の両端部をテープ１１６により各電線１００ａ、１００Ｎに固定する。
【０００５】
しかし、何れの従来方法においても電線を切断する工程が必須となるために、停電せざるを得ず、需要家に与える悪影響が多大であった。
停電させないで電線を補修するとすれば、損傷部分を回避した仮送電ルートを形成するしか方法がないが、この方法によった場合、手数、工数、費用共に大幅に増大せざるを得なかった。
【０００６】
特許文献１乃至４等には、活線状態にある電線の損傷部分に対して絶縁被覆外面から２つの半円筒状の部材、或いは開閉自在に連結された２つの部材を圧着することにより補修を行うための補修カバーについて夫々開示されている。
【特許文献１】特開平０６−２７６６４０号公報
【特許文献２】特開平０９−１２１４１７号公報
【特許文献３】特開２００２−１５９１１４公報
【特許文献４】特開２００４−３２０９６１公報
【特許文献５】特開２００３−２６４９１７公報
【発明の開示】
【発明が解決しようとする課題】
【０００７】
しかし、特許文献１乃至４に夫々記載された補修カバーは、何れも絶縁被覆外面から圧着されることにより絶縁被覆を保護するものであり、導線部分の損傷部分の導通低下を解消したり、損傷部分の拡大を防止することはできなかった。
また、特許文献５には、バイパス工法により所要の架線工事を行うべく露出せしめた被覆電線の芯線個所を工事終了後に補修せしめる電線補修用カバーが開示されている。この発明では、絶縁被覆を除去することにより露出した芯線部位に対して補修カバーを圧着することにより補修を行っているが、この補修カバーは芯線の損傷部分を補修するための構成は備えてはいないため、損傷部分が拡大して破断することを防止しつつ応急措置的に導通を確保し続けることはできない。
【０００８】
本発明は上記に鑑みてなされたものであり、劣化、或いは他物接触等によって導線部分が損傷した絶縁被覆電線を、電線の切断による停電を伴わずに、応急措置的に補修、補強することができる電線補強具、電線の補強構造、及び電線の補強方法を提供することを目的としている。
【課題を解決するための手段】
【０００９】
上記課題を解決するため、請求項１の発明に係る電線補強具は、断面形状を略Ｕ字、或いは略Ｃ字状とした導電性板材料からなるスリーブからなることを特徴とする。
絶縁被覆電線の導線に達する損傷部分を補修する際に、電線を切断することなく、損傷部分を含む導線部分を所要範囲に亘って露出させてからこの露出面にスリーブを嵌着することにより、応急措置的な補修を行うことができる。
請求項２の発明に係る電線補強具は、断面形状を略Ｕ字、或いは略Ｃ字状とした導電性板材料からなる２つの圧着部と、２つの圧着部間を電気的に接続する連設片と、からなることを特徴とする。
絶縁被覆電線の導線に達する損傷がある場合に、損傷部分を露出させることなく、損傷部分の軸方向両側部分の絶縁被覆を所要範囲に亘って除去して導線部分を露出させた上で、２つの圧着部を圧着させることにより、補修を行うことが可能となる。これによれば、損傷部分に対して直接手を加えないので、損傷部分を拡大させることなく補修することができる。
【００１０】
請求項３の発明は、請求項１又は２において、前記導電性板材料は、補強対象物となる絶縁被覆電線の導線部分と同材料であることを特徴とする。
導線とスリーブ、圧着部との間の導通を安定して確保することが可能となる。
請求項４の発明に係る電線の補強構造は、絶縁被覆電線の導線に形成された損傷部分を露出させた状態で、請求項１に記載の電線補強具を該損傷部分を含む導線外面に圧着したことを特徴とする。
損傷部分を含む導線を露出させた状態でスリーブによって圧着するので、損傷部分が拡大することを防止することができる。
【００１１】
請求項５の発明に係る電線の補強構造は、絶縁被覆電線の導線に形成された損傷部分の軸方向両側に位置する導線部分を夫々露出させた状態で、請求項２に記載の電線補強具の各圧着部を該露出した導線部分外面に圧着したことを特徴とする。
損傷部分に対して直接手を加えない手順により、損傷部分を拡大させることなく補修することができる。
請求項６の発明は、請求項４又は５において、前記電線補強具の外面と、該電線補強具の軸方向両端側に位置する前記電線外面にかけて絶縁性材料から成るスリーブカバーを被せたことを特徴とする。
電線補強具は導電材料から成るので、絶縁性のスリーブカバーにより被覆することにより感電事故等を防止できる。
【００１２】
請求項７の発明に係る電線の補強方法は、絶縁被覆電線の導線に形成された損傷部分を露出させるために導線を切断することなく前記絶縁被覆を所定長に亘って除去する絶縁被覆除去工程と、前記損傷部分を含む露出した前記導線の外面に請求項１又は２に記載の電線補強具を圧着する電線補強具圧着工程と、を備えたことを特徴とする。
請求項８の発明に係る電線の補強方法は、絶縁被覆電線の導線に形成された損傷部分の軸方向両側の導線部分を露出させるために導線を切断することなく前記絶縁被覆を所定長に亘って除去する絶縁被覆除去工程と、前記露出した前記導線部分の外面に請求項２に記載の電線補強具の各圧着部を圧着する電線補強具圧着工程と、を備えたことを特徴とする。
請求項９の発明は、請求項７又は８において、前記電線補強具圧着工程後に、前記電線補強具の外面に絶縁被覆を形成する工程を実施することを特徴とする。
【発明の効果】
【００１３】
本発明によれば、絶縁被覆電線の導線に形成された損傷部分を露出させた状態で、電線補強具を該損傷部分を含む導線外面に圧着することにより補修を行うことができるので、絶縁被覆電線の導線に達する損傷部分を補修する際に、電線を切断することなく、損傷部分を含む導線部分を所要範囲に亘って露出させてからこの露出面にスリーブを嵌着することにより、応急措置的な補修を行うことができる。
【発明を実施するための最良の形態】
【００１４】
以下、本発明を図面に示した実施の形態により詳細に説明する。
図１（ａ）（ｂ）及び（ｃ）は本発明の一実施形態に係る電線補強具の構成を示す正面図、平面図、及び左側面図である。
この電線補強具１は、断面形状を略Ｕ字、或いは略Ｃ字状とした導電性板材料（圧着部）からなるスリーブ２から構成されている。即ち、スリーブ２は、矩形（帯状）の導電性板材料を略Ｕ字、或いは略Ｃ字状に加工したものである。この導電性板材料は、適用する電線の導線部分の材質に応じて同じ材料を選定すればよい。例えば、アルミニウムからなる導線に適用する場合には導電性板材料をアルミニウムにて構成し、銅からなる導線に適用する場合には導電性板材料を銅から構成する。これにより両者の導通を確保しやすくなる。また、電線補強具１の径寸法、肉厚は、適用する電線の径等に応じて選定する。
【００１５】
図２（ａ）（ｂ）及び（ｃ）は本発明の電線補強具を用いて損傷部分を有した電線を補強する手順を示す図である。
まず、図２（ａ）ではまず、導線１１に損傷部分１１ａを有した電線（絶縁被覆電線）１０の絶縁被覆１２を部分的に剥離することにより損傷部分１１ａを露出させる作業を実施する。絶縁被覆１２を剥離する範囲は、そこに圧着する電線補強具１の長手方向長と同等か、それよりも若干長くする。電線補強具１としては、長尺のものを用意しておき、導線の露出部の長さに合わせて最適な長さに切断して使用する。即ち、図２（ａ）では、導線１１と絶縁被覆１２とからなる電線１０の導線に形成された損傷部分１１ａを露出させるために導線を切断することなく絶縁被覆１２を所定長に亘って除去する絶縁被覆除去工程を実施する。
【００１６】
次いで、本発明の電線補強具１の開放部内に電線１０の導線露出部分を嵌合させてから、図示しない圧縮ペンチ（例えば日本バーンデイ株式会社製、ＭＹシリーズ）、或いは油圧式圧縮ヘッド（株式会社日本ＦＣＩ製、Ｙ３５ＢＨＴ−１）を用いて損傷部分を回避した電線補強具１の適所を数カ所圧縮すると共に、電線補強具１の内周面が導線１１の外周面に密着するように電線補強具を全長に亘って略円筒状に加圧成型する（図２（ｂ））。この圧着作業により導線外周面と電線補強具内面との間に隙間が形成されることがなくなり電気抵抗値の増大を防止しつつ、両者の機械的固定力を高めることが可能となる。なお、導線外周面と電線補強具内面との間の導通を確実にするためにコンパウンド等の導電剤を塗るようにしてもよい。このように図２（ｂ）では、損傷部分１１ａを含む露出した導線の外面に電線補強具１を圧着する電線補強具圧着工程を実施する。
【００１７】
最後に、図２（ｃ）の補強構造に示すように、損傷部分１１ａを含む導線１１の露出部に対して電線補強具１を圧着した後で、絶縁カバー（スリーブカバー）２０を導線露出部、及びその両端にある絶縁被覆１２にかけて圧着固定する。絶縁カバー２０としては、例えば特許文献１乃至４に開示されたものを使用すればよい。即ち、図２（ｃ）では、電線補強具１の外面に絶縁カバー２０を用いて絶縁被覆を形成する工程を実施する。電線補強具は導電性であるため、絶縁カバーをしないと感電事故等の虞があるからである。
【００１８】
なお、損傷部分の程度が電線補強具を用いた補修が困難な程度に著しく悪い場合には、現場での判断により補修の可否を判断すればよい。本発明の電線補強具では、数ヶ月程度経過した後に本格的な工事によって電線の張り替え等を行うことを予定した応急措置を実施するに過ぎないため、電線補強具によって数ヶ月程度の継続使用が可能な程度の軽微な損傷であれば、十分に適用することができる。
なお、電線補強具１を構成するスリーブ２としては、アルミニウム、銅等の金属板材料をＵ字、或いはＣ字等の開放部を有した形状に成型したものを用いるが、スリーブに部分的に穴、切欠き、切り込み線、スリット等を形成することにより、圧着時に変形し易く構成してもよい。また、スリーブ２の周長を導線の外周長よりも長くすることにより１周以上巻き付くように構成してもよい。また、スリーブ２の対向する２つの端縁に凹凸部を設け、一方の端縁の凸部が他方の端縁の凹部内に嵌合するように構成してもよい。
【００１９】
次に、図３は本発明の他の実施形態に係る電線補強具１の構成説明図、図４（ａ）乃至（ｄ）は電線に対する取付け手順（電線の補強方法）を示す図である。
この電線補強具１は、上記実施形態に示した矩形板をＵ字状、或いはＣ字状に加工したものとは異なり、比較的短尺な２つの圧着部３０間を細幅帯状の連設片３１によって連設一体化した構成を備えている点が特徴的である。即ち、この電線補強具１は、導電性材料から成る金属板材料をＵ字状、或いはＣ字状に加工した圧着部３０を備えている点では上記実施形態と同様であるが、２つの圧着部３０の中間部に細幅帯状の連設片３１が配置されており、露出した導線部分（損傷部分を回避した部分）との電気的コンタクトを２つの圧着部３０によって確保するようにしている。
【００２０】
図４（ａ）は導線１１にまで達する損傷部分１１ａを絶縁被覆１２に備えた電線１０を示している。
（ｂ）では損傷部分１１ａを回避した両側位置にある絶縁被覆１２を部分的に除去することにより導線の露出部を二箇所形成する。絶縁被覆を除去する寸法は、電線補強具１の圧着部３０の軸方向長とほぼ同等に設定する。この絶縁被覆除去作業は、間接活線工法により実施することができる。即ち、ここでは導線１１と絶縁被覆１２とからなる電線１０の導線に形成された損傷部分１１ａの軸方向両側の導線部分を露出させるために導線を切断することなく絶縁被覆を所定長に亘って除去する絶縁被覆除去工程を実施する。
【００２１】
図４（ｃ）ではこの電線露出部の外面に対して各圧着部３０の開放部を差し込んで上記の如き工具を用いて圧着作業を実施する。各圧着部３０間は、連設片３１によって電気的に接続された状態にあるため、電線補強具１により各電線露出部間は電気的に導通した状態となる。即ち、ここでは、露出した導線部分の外面に電線補強具１の圧着部３０を圧着する電線補強具圧着工程を実施する。
（ｄ）では図２に示した如き絶縁カバー（スリーブカバー）２０を用いて電線補強具１の全体を被覆する。ここでは、電線補強具１の外面に絶縁被覆１２を形成する工程を実施する。
【００２２】
以上のように本発明の各実施形態に係る電線補強部、補強部構造、及び補強方法によれば、電線への通電を遮断することなく、比較的簡単な作業によって電線の損傷部分を応急措置的に補修することができる。
【図面の簡単な説明】
【００２３】
【図１】（ａ）（ｂ）及び（ｃ）は本発明の一実施形態に係る電線補強具の構成を示す正面図、平面図、及び左側面図である。
【図２】（ａ）（ｂ）及び（ｃ）は本発明の電線補強具を用いて損傷部分を有した電線を補強する手順を示す図である。
【図３】本発明の他の実施形態に係る電線補強具の構成説明図である。
【図４】（ａ）乃至（ｄ）は電線に対する取付け手順（電線の補強方法）を示す図である。
【図５】（ａ）乃至（ｄ）は従来の仮復旧による改修作業の説明図である。
【図６】（ａ）乃至（ｅ）は従来の足し線による改修作業（本復旧作業）の説明図である。
【符号の説明】
【００２４】
１…電線補強具、２…スリーブ、１０…電線、１１…導線、１１ａ…損傷部分、１２…絶縁被覆、２０…絶縁カバー、３０…圧着部、３１…連設片。
【図１】
2008022629.tif 000003
【図２】
2008022629.tif 000004
【図３】
2008022629.tif 000005
【図４】
2008022629.tif 000006
【図５】
2008022629.tif 000007
【図６】
2008022629.tif 000008